【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
（ａ）少なくとも３つの水平な踏み面のセット；
（ｂ）踏み面の前記セットと機械的に接続され、異なる蹴上高さの範囲で一定ピッチを備える階段のセットを形成するように、隣接する前記踏み面間の蹴上高さを調節するための、少なくとも２つの前記踏み面を垂直方向に移動させるように構成された駆動システム；
（ｃ）階段の前記セットを使用して実行される理学療法と関連するパラメータを測定するために配置された少なくとも１つのセンサを含むセンサセット；および
（ｄ）少なくとも１つのプロセッサと不揮発性のデータ記憶手段とを含むコンピュータシステムであって、前記の少なくとも１つのパラメータを受信するために前記センサセットと関連づけられた前記コンピュータシステム、
を含むシステムであって、
前記少なくとも１つのセンサが、隣接する前記踏み面間の現在の蹴上高さを示すパラメータを測定するために配置されたセンサを含む、システム。
【請求項２】
前記コンピュータシステムは、治療を受ける患者の同一性を示す入力を受信するように構成されたユーザインタフェースを含み、前記コンピュータシステムは、各患者に対する複数の治療セッションの記録を保存し、前記記録は現在の蹴上高さを含む、請求項１に記載のシステム。
【請求項３】
前記コンピュータシステムは、患者に対する階段昇降能力測定値を生成するように構成され、階段昇降能力測定値は、患者が階段を登るための現在の能力と、現在の能力の進歩の割合とを示す、請求項２に記載のシステム。
【請求項４】
前記の少なくとも１つのセンサが、階段の前記セット上の患者の心拍数を示すパラメータを測定するために配置された少なくとも１つの心拍数センサを含む、請求項１に記載のシステム。
【請求項５】
前記システムが、階段の前記セットの少なくとも一方側に沿って伸びる手すりをさらに含み、前記の少なくとも１つの心拍数センサは前記手すりに統合されている、請求項４に記載のシステム。
【請求項６】
前記システムが、階段の前記セットの少なくとも一方側に沿って伸びる手すりをさらに含み、前記の少なくとも１つのセンサは、階段の前記セットを使用する患者が把持している前記手すりの位置を示す出力を生成するために配置された少なくとも１つの接触センサを含む、請求項１に記載のシステム。
【請求項７】
前記の少なくとも１つのセンサは、前記踏み面各々に付与される負荷を測定するために配置された少なくとも１つのロードセルを含む、請求項１に記載のシステム。
【請求項８】
前記コンピュータシステムは、
（ａ）前記複数のロードセルによって測定される負荷の合計をモニタし；および
（ｂ）階段の前記セット上の患者の現在の体重を決定する
ように構成される、請求項７に記載のシステム。
【請求項９】
（ａ）少なくとも３つの水平な踏み面のセット；
（ｂ）踏み面の前記セットと機械的に接続され、異なる蹴上高さの範囲で一定ピッチを備える階段のセットを形成するように、隣接する前記踏み面間の蹴上高さを調節するための、少なくとも２つの前記踏み面を垂直方向に移動させるように構成された駆動システム；
（ｃ）階段の前記セットを使用して実行される理学療法と関連するパラメータを測定するために配置された少なくとも１つのセンサを含むセンサセット；および
（ｄ）少なくとも１つのプロセッサと不揮発性のデータ記憶手段とを含むコンピュータシステムであって、前記の少なくとも１つのパラメータを受信するために前記センサセットと関連づけられた前記コンピュータシステム、
を含むシステムであって、
前記の少なくとも１つのセンサは、前記踏み面各々に付与される負荷を測定するために配置された少なくとも１つのロードセルを含み、前記コンピュータシステムは、
（ｉ）前記複数のロードセルによって測定される負荷の合計をモニタし；および
（ｉｉ）階段の前記セット上の患者の現在の体重を決定する
ように構成され、および
前記システムが、階段の前記セットの少なくとも一方側に沿って伸びる手すりをさらに含み、前記コンピュータシステムはさらに、前記手すり上の現在の患者の負荷を決定するために、前記現在の体重から前記負荷の現在の合計を減算するように構成される、システム。
【請求項１０】
前記コンピュータシステムはさらに、前記手すり上の現在の患者の負荷が、この患者の前記現在の体重の所定の比率を超過したならば、警告信号を発生するように構成される、請求項９に記載のシステム。
【請求項１１】
前記コンピュータシステムは、前記ロードセルからの信号を処理して、階段使用中の総合運動技能コントロールの少なくとも１つの測定値を決定するように構成される、請求項７に記載のシステム。
【請求項１２】
（ａ）少なくとも３つの水平な踏み面のセット；
（ｂ）踏み面の前記セットと機械的に接続され、異なる蹴上高さの範囲で一定ピッチを備える階段のセットを形成するように、隣接する前記踏み面間の蹴上高さを調節するための、少なくとも２つの前記踏み面を垂直方向に移動させるように構成された駆動システム；
（ｃ）階段の前記セットを使用して実行される理学療法と関連するパラメータを測定するために配置された少なくとも１つのセンサを含むセンサセット；および
（ｄ）少なくとも１つのプロセッサと不揮発性のデータ記憶手段とを含むコンピュータシステムであって、前記の少なくとも１つのパラメータを受信するために前記センサセットと関連づけられた前記コンピュータシステム、
を含むシステムであって、
前記の少なくとも１つのセンサは、前記踏み面各々に付与される負荷を測定するために配置された少なくとも１つのロードセルを含み、および
前記コンピュータシステムは、前記ロードセルからの信号を処理して、患者が前記踏み面のうちの１つから前記踏み面の別のものへ移動するのに要する時間間隔を決定するように構成される、システム。
【請求項１３】
前記の少なくとも１つのロードセルが、前記踏み面各々の長さに対する負荷位置の決定を可能にする信号を生成するために配置された少なくとも２つのロードセルとして実装される、請求項７に記載のシステム。
【請求項１４】
（ａ）少なくとも３つの水平な踏み面のセット；
（ｂ）踏み面の前記セットと機械的に接続され、異なる蹴上高さの範囲で一定ピッチを備える階段のセットを形成するように、隣接する前記踏み面間の蹴上高さを調節するための、少なくとも２つの前記踏み面を垂直方向に移動させるように構成された駆動システム；
（ｃ）階段の前記セットを使用して実行される理学療法と関連するパラメータを測定するために配置された少なくとも１つのセンサを含むセンサセット；および
（ｄ）少なくとも１つのプロセッサと不揮発性のデータ記憶手段とを含むコンピュータシステムであって、前記の少なくとも１つのパラメータを受信するために前記センサセットと関連づけられた前記コンピュータシステム、
を含むシステムであって、
前記の少なくとも１つのセンサは、前記踏み面各々に付与される負荷を測定するために及び前記踏み面各々の長さに対する負荷位置の決定を可能にする信号を生成するために配置された少なくとも２つのロードセルを含み、および
前記コンピュータシステムは、患者による各階段移動に対して、患者が右脚または左脚のいずれを前に出したかを決定するとともに、両脚または片脚の使用の表示を生成するように構成される、システム。
【請求項１５】
少なくとも１つのロードセルが、前記踏み面各々に対する二次元的な負荷位置の決定を可能にする信号を生成するために配置されたロードセルのセットとして実装される、請求項７に記載のシステム。
【請求項１６】
前記コンピュータシステムは、踏み面の負荷が、前記踏み面の前縁の負荷を超過したことを同定する条件を満たしたときに警告信号を生成するように構成される、請求項１５に記載のシステム。
【請求項１７】
前記コンピュータシステムは、前記駆動システムと機能的に相互連結され、前記コンピュータシステムは、前記データ記憶手段またはリモートデータ記憶装置から、所定の患者に対する少なくとも１つの過去の治療セッションに関連するデータを検索するように構成され、前記コンピュータシステムは、次の治療セッションのために、階段の前記セットを初期蹴上高さに設定するために前記駆動システムを起動させるように構成され、前記初期蹴上高さは、前記データから少なくとも一部がもたらされる、請求項１に記載のシステム。
【請求項１８】
前記駆動システムは、０ｃｍから１８ｃｍまでの範囲の大部分に実質的に及ぶ複数の蹴上高さを備える階段の前記セットを形成するために前記踏み面を移動させるように構成される、請求項１に記載のシステム。
【請求項１９】
前記駆動システムはさらに、前記複数の踏み面すべてが連続的な平坦面として並置されるように、前記踏み面を移動させるように構成される、請求項１に記載のシステム。
【請求項２０】
前記駆動システムは、前記踏み面を単なる垂直方向に移動させるように構成され、複数の前記踏み面各々は、関連づけられた垂直の蹴込面を有している、請求項１に記載のシステム。
【請求項２１】
前記コンピュータシステムは、有線または無線ネットワークに接続するための通信コンポーネントをさらに含み、前記コンピュータシステムは、前記ネットワークを通じて、患者の治療セッションに関連するデータを含むレポートを転送するように構成される、請求項１に記載のシステム。